(57)【要約】【課題】吸水、吸湿、かつ多機能清潔メンテナンス特性を備え、従来のブロック状石鹸の溶解効率、保湿、芳香などの特性における機能を高めるための吸水石鹸に関する。【解決手段】吸水石鹸は、清潔メンテナンス機能を具える材料からなる一層以上の清潔メンテナンス層と、吸水吸湿物質からなる一層以上の吸水層とが積み重ねられ、組み合わせされてなるものである。前記清潔メンテナンス層と吸水層を不特定な積み重ねる方法でなるラミネート構造により、層の中と層の間に余った空間が残され、気体を収容することができることで、使用時に外部の水分子と内部気体空間との置き換えをさせて、水分子と前記ラミネート構造における清潔メンテナンス材料とをより緊密な持続性溶解反応を進行させることができ、前記清潔メンテナンス材料の溶出確率を増加させるとともに、このような多機能特性を有するラミネートの吸水石鹸構造の技術手段により、従来のブロック状石鹸の欠点を改善することができる。【選択図】図2
2016141812.tif 000002
【特許請求の範囲】
【請求項１】
体清潔メンテナンス機能のある材料からなる、一層以上の清潔メンテナンス層と、
吸水吸湿材料からなる、一層以上の吸水層と
を含む吸水石鹸であり、
前記清潔メンテナンス層と吸水層は、気体が収容されるように、積み重ねて組み合わせる方法で互いに結合し、各前記層の中と層の間に空間が形成され、
吸水、清潔メンテナンス機能を有する吸水石鹸。
【請求項２】
前記清潔メンテナンス層の材料は、外観が粉状、粒状、液状、フィルム状、片状、ペースト状、ゲル状、または糸状であり、成形可能な清潔メンテナンス材料からなる、請求項１に記載の吸水石鹸。
【請求項３】
前記清潔メンテナンス層の材料は、保湿機能のある材料、芳香機能のある材料、スクラブ機能のある材料、清潔機能のある材料、及びメンテナンス機能のあるの材料からなる群から選ばれる、請求項１に記載の吸水石鹸。
【請求項４】
前記保湿機能のある材料は、植物油、海泥、及びハチミツからなる群から選ばれ、
前記芳香機能のある材料は、精油、及びエッセンスからなる群から選ばれ、
前記スクラブ機能のある材料は、備長炭粒子、及び果物の実の粉からなる群から選ばれ、
前記清潔機能のある材料は、石鹸、アミノ酸、リン脂質、界面活性剤、及び海塩からなる群から選ばれ、
前記メンテナンス機能のあるの材料は、ヒアルロン酸 、コラーゲン、及びビタミンEからなる群から選ばれる、請求項３に記載の吸水石鹸。
【請求項５】
前記吸水層は、コットン、スポンジ、織布、ナイロン糸、不織布、スパンレース不織布、PE/PETファイバー製不織布、生分解性繊維製不織布、ヘチマタワシ、漢方薬剤、カプセル、ヤシ繊維、もみ殻、繊維化植物、乾燥植物、多隙間材料、多孔材料、または水溶性材料の吸水物質を含む、請求項１に記載の吸水石鹸。
【請求項６】
各前記層の積み重ねて組み合わせる方法は、上下に積み重ねて組み合わせる方法、同心円に積み重ねて組み合わせる方法、らせん状に積み重ねて組み合わせる方法、またはランダムに積み重ねて組み合わせる方法である、請求項１に記載の吸水石鹸。
【請求項７】
前記吸水石鹸は、完成した後でも、前記吸水石鹸における吸水吸湿材料または清潔メンテナンス材料が除去され、かつ、他の請求項２〜６に記載の前記吸水吸湿材料または清潔メンテナンス材料で再交換または追加することが可能であるものである、請求項１に記載の吸水石鹸。
【請求項８】
前記吸水層の厚さは、0.01mm〜30mmの範囲にある、請求項１に記載の吸水石鹸。
【請求項９】
前記清潔メンテナンス層の厚さは、0.01mm〜8mmの範囲にある、請求項１に記載の吸水石鹸。
【発明の詳細な説明】
【技術分野】
【０００１】
本発明は、吸水吸湿材料及び清潔メンテナンス材料を利用して、多機能特性ラミネート構造を有する吸水石鹸の設計と製造に関し、特に、前記吸水石鹸における清潔メンテナンス材料を速やかに溶解させることに寄与し、その清潔メンテナンス材料をすぐに清潔メンテナンス溶液に変えさせ、使用に供することができる吸水石鹸の設計と製造に関する。前記吸水石鹸は、その速やかな吸水吸湿機能により、構造中の清潔メンテナンス材料の溶出量を効率良く増加させることができる。
【背景技術】
【０００２】
今まで、市販でよく見られる硬石鹸の使用方法は、水分の添加および体との摩擦によって、石鹸本体を固態から液体へ変化させ、使用者がその清潔効果を有する石鹸液で個人衛生を清潔に保つ。
【０００３】
従来多くの石鹸本体の構造は中のつまっているブロック状石鹸本体構造であり、中空な構造が少ない。このような従来の石鹸本体構造の設計は、使用時において水と接触する部分が、外部表面の部分にとどまり、石鹸本体の内部まで深く入り込むことができず、水分子との溶解反応が緊密に進行することができない。例えば、従来技術には、ヘチマタワシ（loofah）を石鹸液に浸し、凝固させて形成した石鹸があり、このように形成された石鹸には、ヘチマタワシの空孔がいっぱいあるが、効率的に石鹸本体の溶解速度を改善するところか、かえってヘチマタワシ自体に吸水させるか、起泡を促進するという利点を発揮することができない。
【０００４】
今まで、通常の石鹸本体の溶解速度を改善するために、代わりに液体の清潔剤を使用することはよくある。しかしながら、液体清潔剤の使用において、その使用量をコントロールすることが難しいので、清潔剤の浪費になることが多い。使用効率について、多量な液体清潔剤を直接に肌に塗った時、泡立ちが難くなるだけではなく、使用者が洗い残しによるヌメリ感を感じることもよくある。そのため、液体清潔剤を使う場合には、通常、他の泡立ツール、例えば、スポンジやバスボールを使って十分に泡立つことで、より好ましい清潔機能を有する。
【０００５】
従来の石鹸本体構造は、その清潔メンテナンスの特性が、ケン化段階で既に設計されており、その熟成後の品質は、ケン化環境における強塩基性環境に影響されるため、添加材料の特性が100％完全に表現して、期望の効果を奏することができない。
【発明の概要】
【０００６】
本発明は、吸水吸湿材料と清潔メンテナンス材料による多機能特性ラミネート構造の吸水石鹸の設計を提供する。その中には、容易に成形され、粉状、粒状、液状、フィルム状、片状、ペースト状、ゲル状、糸状などの形態であり、体清潔メンテナンスなどの清潔メンテナンス材料からなる一層以上の清潔メンテナンス層と、吸水吸湿材料からなる一層以上の吸水層とを含み、前記清潔メンテナンス層と吸水層を不特定な積み重ねる方法でなる、多機能特性ラミネート構造の吸水石鹸が含まれる。このような構造により、前記吸水石鹸における層の中と層の間に余った空間が形成されることで、気体が収容される。これにより、使用時に外部の水分子と内部気体空間との置き換えをさせて、水分子と前記吸水石鹸における清潔メンテナンス材料とをより緊密に、かつより接触面積が大く持続性溶解反応を進行させることができ、清潔メンテナンス材料の溶出効率を増加させること、及びその原始材料の特性を維持することを奏する。本発明は、最終的にこのような容易に成形され、不特定な方法で積み重ねることのできる吸水石鹸の設計により、従来のブロック状石鹸における溶解効率及び原材料特性の維持という問題を解決することができる。
【０００７】
本発明にかかる吸水石鹸のもう一つの利点は、製品が完成した後でも、その構造におけるいずれの吸水吸湿、清潔メンテナンス材料の組み合わせを何時でも柔軟に除去、交換、追加することができ、その中の各材料のいずれも使用時に完全にその原始材料の特性を表現することができ、ケン化環境の影響を受けないようにすることができる点である。
【０００８】
本発明にかかる吸水石鹸は、容易に成形され、体清潔メンテナンス機能のある清潔メンテナンス材料からなる一層以上の清潔メンテナンス層と、吸水吸湿材料からなる一層以上の吸水層とを利用し、ラミネート構造を行う設計である。このように形成される吸水性構造は、使用時に清潔メンテナンス材料と外部の水分子との溶解反応をより効率的に進行させることができる。そのため、効率的に清潔メンテナンス材料の溶出効率を増加させ、原材料本来の効果を維持することができる。
【０００９】
本発明にかかる吸水石鹸のラミネート構造における清潔メンテナンス層は、不特定な方法でラミネート構造の設計を行い、完成した後に外部からの力を受けて容易に圧迫変形する条件を満たすために、その清潔メンテナンス材料の外観形態は容易に成形可能な特性を有することが好ましく、その形態は、粉状、粒状、液状、フィルム状、片状、ペースト状、ゲル状などの形態であることが好ましい。
【００１０】
前記吸水石鹸における清潔メンテナンス層は、保湿機能のある植物油、海泥などの材料や芳香機能のある精油、エッセンスなどの材料や、スクラブ機能のある備長炭粒子、果物の実の粉（fruit kernel powder）などの材料や、清潔機能のある石鹸、アミノ酸、リン脂質、界面活性剤、海塩や、メンテナンス機能のあるヒアルロン酸、コラーゲン、ビタミンE、漢方薬剤などの材料からなるものであってもよい。
【００１１】
前記吸水石鹸における吸水層は、スパンレース不織布、不織布、PE/PETファイバー製不織布、生分解性繊維製不織布、コットン、乾燥植物、スポンジ、ガーゼ、ナイロン糸、不織布、繊維化植物、多隙間物質、多孔物質、水溶性物質などの易吸水吸湿材料からなるものであってもよい。
【００１２】
前記吸水石鹸の設計は、より効率的な溶解効率を達するために、その吸水層の厚さを0.01mm〜30mmにコントロールすることが好ましく、また、清潔メンテナンス層の厚さを0.01mm〜8mmにコントロールすることが好ましい。
【図面の簡単な説明】
【００１３】
【図１】本発明にかかる、一層の石鹸層と、五層の吸水層とを含む、方形の吸水石鹸の構造の断面図。
【図２】本発明にかかる、二層の石鹸層と、四層の吸水層と、一層のハチミツ保湿層とを含む、方形の吸水石鹸の構造の断面図。
【図３】本発明にかかる、一層の石鹸層と、二層の吸水層とを含む、同心円円柱状の吸水石鹸の構造の断面図。
【図４】本発明にかかる、一層の石鹸層と、四層の吸水層と、一層のメンテナンス層とを含む、長方形の吸水石鹸の構造の断面図。
【図５】本発明にかかるらせん状の吸水石鹸の外観の概念図。
【図６】本発明にかかるランダム積み重ねの吸水石鹸の構造の断面図。
【図７】本発明にかかる上下積み重ねの吸水石鹸の外観の概念図。
【図８】本発明にかかるランダム積み重ねの吸水石鹸の三角立体包装の外観の概念図。
【発明を実施するための形態】
【００１４】
以下、特定の具体的な実施例で本発明の実施形態を説明するが、当業者は本明細書の開示内容から本発明の他の利点及び効果を容易に理解することができる。本発明は、他の異なる具体的な実施例により実施または応用することもでき、本明細書の各詳細内容は異なる観点と応用に基づいて、本発明の主旨を逸脱しない範囲内で修正または変更することができる。本発明の目的、特徴及び効果が十分理解されるよう、以下、具体的な実施例とともに添付図面を用いて、本発明について詳細に説明する。
【実施例】
【００１５】
図2の実施例を参照し、本発明は、多機能特性ラミネート構造の吸水石鹸の設計を提供する。前記吸水石鹸は、水と反応する一層以上の清潔層石鹸22と、石鹸25と、メンテナンス層であるハチミツカプセル27と、外部の水分子と空間交換を行う吸水吸湿材料からなる一層以上の吸水層であるスパンレース不織布21と、乾燥植物23と、コットン24と、スパンレース不織布26とを含む。上記の七層を下から上へ方形に積み重ねる方法で積み重ねて組み合わせて、層21と層26をミシン縫いの方法で固定して、方形のラミネート構造の吸水石鹸を構成する。
【００１６】
また、図4と図5の実施例を参照し、本発明は、らせん状に積み重ねられた吸水石鹸を提供し、前記吸水石鹸は、一層の水と反応して厚さが3mmの清潔層である粉状石鹸41と、一層の外観がゲル状で厚さが6mm且つ保湿、研磨、芳香機能があり、ブドウ種子油、果物の実の粉とローズ精油を含有するメンテナンス層42と、合計厚さが15mmで外部の水分子と空間交換を行い、吸水吸湿材料からなる一層以上の吸水層であるスパンレース不織布43、44、45と、スポンジ46とを含む。まず、上記の六層を下から上へ積み重ねる方法で組み合わせてから、この構造が容易に成形する特性を利用し、前から後ろに巻いて粘着剤で接着固定するようにらせん状の清潔メンテナンス機能のある吸水石鹸を構成する。
【００１７】
前記吸水石鹸は、図1と図2のような方形に積み重ねて組み合わせに設計する以外、より優れる視覚感触とより効率的な石鹸溶解効率を使用者へ提供するために、必要に応じて図3のような同心円円柱状吸水石鹸、図6のようなランダム式積み重ねの吸水石鹸、他の積み重ね構造の吸水石鹸に設計することができる。
【００１８】
前記吸水石鹸における吸水吸湿物質からなる吸水層は、スパンレース不織布、コットン、乾燥植物以外、他の同様な機能のある吸水吸湿物質で交換することができる。例えば:スポンジ、織布、ナイロン糸、不織布、PE/PETファイバー製不織布、生分解性繊維製不織布、ヘチマタワシ、漢方薬剤とヤシ繊維やもみ殻などの繊維化植物、多隙間材料、多孔材料、カプセルなどの水溶性材料などがあげられる。
【００１９】
前記吸水石鹸における清潔層は、石鹸以外、他の同様な機能のある清潔材料で交換することができる。例えば:アミノ酸、リン脂質、界面活性剤、海塩などがあげられる。
前記吸水石鹸におけるメンテナンス層は、保湿機能のある植物油、海泥、ハチミツなどの材料や、芳香機能のある精油、エッセンスなどの材料や、スクラブ機能のある備長炭粒子、果物の実の粉や、メンテナンス機能のあるヒアルロン酸、ビタミンE、コラーゲンなどの材料で交換することができる。
【００２０】
図6と図8の実施例を参照し、本発明は吸水石鹸を提供し、前記吸水石鹸は、清潔材料の石鹸61と、芳香材料の乾燥ラベンダー62と、吸水材料のスポンジ63と、植物油含有カプセル64とをランダムに混合した後、吸水材料の不織布65で包むことで形成される、多機能特性を有するランダム積み重ねる構造の吸水石鹸である。前記吸水石鹸は、使用時に清潔、芳香、保湿、高発泡性を同時に有する清潔メンテナンス液が得られる。
【００２１】
図6の実施例において、前記吸水石鹸は、完成した後、包んでいる不織布65を除去して、内容物であるスポンジ63及び植物油含有カプセル64を取り出して、図2のようなヤシ繊維23とハチミツ含有カプセル27に交換し、図4のようなブドウ種子油、果物の実の粉、ローズ精油のゲル状メンテナンス層42を追加してから、包んでいた不織布65で再び包むことにより、別の全く異なる特性の吸水石鹸を形成することができる。
【００２２】
また、図7の実施例を参照し、本発明は下から上へ積み重ねる構造の吸水石鹸を提供し、前記吸水石鹸は、図2の7重ラミネート構造を1ユニットに設計し、この1ユニットを上から下へ3回繰り返して積み重ねて、その機能を強める。
【００２３】
上記実施形態は、いずれも本発明の原理及びその効果を例示的に説明するものであり、本発明を限定するものではない。当業者であれば、本発明の主旨を逸脱しない範囲で、上記実施例を修正または変更することができる。よって、本発明の保護される範囲は、添付の特許請求の範囲である。
【符号の説明】
【００２４】
1   6重ラミネート方形吸水石鹸構造
11  石鹸
12  スパンレース不織布
13  スポンジ
14  ヤシ繊維
15  スポンジ
16  スパンレース不織布
2   7重ラミネート清潔メンテナンス吸水石鹸構造
21  スパンレース不織布
22  石鹸
23  ヤシ繊維
24  コットン
25  石鹸
26  スパンレース不織布
27  ハチミツ含有カプセル
3   3重ラミネート円柱状吸水石鹸構造
31  石鹸
32  スパンレース不織布
33  ヤシ繊維
4   6重ラミネート長形吸水石鹸構造
41  石鹸
42  ブドウ種子油、果物の実の粉、ローズ精油
43  スパンレース不織布
44  スパンレース不織布
45  スパンレース不織布
46  スポンジ
5   らせん状吸水石鹸
6   ランダム積み重ねの吸水石鹸構造
61  石鹸
62  乾燥ラベンダー
63  スポンジ
64  植物油含有カプセル
65  不織布
7   上下3ユニットの吸水石鹸
8   ランダム積み重ねの吸水石鹸の三角立体包装
【図１】
2016141812.tif 000003
【図２】
2016141812.tif 000004
【図３】
2016141812.tif 000005
【図４】
2016141812.tif 000006
【図５】
2016141812.tif 000007
【図６】
2016141812.tif 000008
【図７】
2016141812.tif 000009
【図８】
2016141812.tif 000010